(57)【要約】【課題】液体の計量を容易に行える計量容器を提供することにある。【解決手段】上面が開口された容器の底面に、上方へ向うに従って断面積が連続的に減少する突起物を設け、これら容器または突起物の周面の同一視野内に認識できる２部分以上に同一種類の容量目盛りを設けてなる計量容器。【選択図】　図１
2004028946.tif 000002
【特許請求の範囲】
【請求項１】
上面が開口された容器の底面に、上方へ向うに従って断面積が連続的に減少する突起物を設け、これら容器または突起物の周面の同一視野内に認識できる２部分以上に同一種類の容量目盛りを設けてなる計量容器。
【請求項２】
請求項１において上記突起物は、錐形であることを特徴とする計量容器。
【請求項３】
請求項１において上記突起物は、上記容器の深さにほぼ等しいことを特徴とする計量容器。
【請求項４】
請求項１において上記容器は円筒形であり、上記突起物はその底面の寸法及び形状が上記容器の底面の寸法及び形状にほぼ等しいことを特徴とする計量容器。
【請求項５】
請求項１において上記容器は上方へ向うに従って断面積が連続的に増加することを特徴とする計量容器。
【請求項６】
請求項１において上記容器は上方へ向うに従って断面積が連続的に減少することを特徴とする計量容器。
【発明の詳細な説明】
【０００１】
【発明の属する技術分野】
この発明は、液体を計量する計量容器に関する。
【０００２】
【従来の技術】
従来の計量容器は、容器本体を横から見て計量する事を前提としている為、図１０に示すように、容器１１の周面にのみ、目盛り６１を配置したものである。
【０００３】
【発明が解決しようとする課題】
しかしながら、以上の従来技術によれば、容器周面にのみ目盛りを配置していた為、目盛りを認識しようとすると何度も視点を変え、計量対象物が目的の目盛りを越える場合は余剰分を排出し、目盛りを下回る場合は注入するなど、１度で計量作業を終えないことに問題があった。
そこで、この発明は、容器を上から見ることにより、計量しようとする人の姿勢や視点の位置を変えず又、容器を持ち上げる負担を人に与えないで、目盛りを認識し、１度で計量できる計量容器を提供することを課題とする。
【０００４】
【課題を解決するための手段】
以上の課題を解決するために請求項１の発明は上面が開口された容器の底面に、上方へ向うに従って断面積が連続的に減少する突起物を設け、これら容器または突起物の周面の同一視野内に認識できる２部分以上に同一種類の容量目盛りを設けてなることを特徴とする計量容器である。
【０００５】請求項２の発明は上記突起物は、錐形であることを特徴とする計量容器である。
【０００６】請求項３の発明は上記突起物は、上記容器の深さにほぼ等しいことを特徴とする計量容器である。
【０００７】請求項４の発明は上記容器は円筒形であり、上記突起物はその底面の寸法及び形状が上記容器の底面の寸法及び形状にほぼ等しいことを特徴とする計量容器である。
【０００８】請求項５の発明は上記容器は上方へ向うに従って断面積が連続的に増加することを特徴とする計量容器である。
【０００９】請求項６の発明は上記容器は上方へ向うに従って断面積が連続的に減少することを特徴とする計量容器である。
【００１０】
【発明の実施の形態】
この発明の実施形態について、図面に基づいて詳細に説明する。図１は本発明の実施形態の一例を示す斜視図、図２は正面図、図３は平面図、図４は縦断面図である。図１から図４において、この計量容器は、陶磁器、ガラス、金属または樹脂等で作成されている。円筒形をした容器１の内部に円錐２があり、容器１内部の底面部分と円錐２の底面が、また容器１の外周面には取っ手３と注ぎ口４が一体的に構成されている。また容器１の内周面に、取っ手３と注ぎ口４の中心を結ぶ線対称の位置に、上から見える計量目盛り６が、また円錐２の外周面に取っ手３と注ぎ口４の中心を結ぶ線対称の位置に、上から見える計量目盛り５が、それぞれ配置されている。
【００１１】図５は本発明の図１に示した計量容器に液体を入れて計量している状態を示す斜視図である。図５において、例えば２００ＣＣの液体を量る場合、図５に示すように、上から計量容器を見る。液体の上面７と、液体の上面７が達する容器１の目盛り６と、円錐２の目盛り５を合わせた複数点の目盛りが、計量する人の姿勢や視点の位置を変える事なく視野に入り認識され易い。そして目盛り６と目盛り５の複数点に、液体の上面７が達する状況から、おのずと容器の水平と分量を考慮できる。すなわち複数点を比較することで１種の基準を認識しやすい。したがって、目盛り６と目盛り５に液体の上面７が達する状況を認識しつつ容器に液体を注入し、目盛り２００ＣＣに達したところで、液体の注入を止める。結果、目的の２００ＣＣの液体を計量できたことになる。
【００１２】この実施形態によれば、上から計量容器を見ることで、計量対象物の上面７が前記目盛り５と目盛り６からなる、複数点の目盛りに達する状況が１度に視野に入り認識しやすい働きで、人の姿勢や視点の位置を変えず又、容器を持ち上げる負担を人に与えることなく、１度の作業で分量を認識し計量できる効果がある。
【００１３】前記実施形態の通り、計量対象物を計量する人が姿勢や視点の位置を変える事なく上から見て、計量容器内部に配置された複数点の目盛りと、計量対象物上面の状況を認識しながら計量するため、計量容器の材質は、透過性、非透過性を問わず気密性が保たれるものであればどのようなものでもよい。また目盛りの単位はＣＣに限らない。
【００１４】また、目盛り５と目盛り６のそれぞれの配置数は１箇所以上から複数箇所ずつとする。また複数箇所ずつ目盛りを配置した場合の単位は、様々な計量単位を組み合わせることができるものとする。
【００１５】上記周面の目盛り５と目盛り６は容器及び突起物の材質による透過性、非透過性に対応し、それぞれ内周面または外周面に配置できるものとする。
【００１６】図６から図９は本発明の他の実施例を示す斜視図であり、図６は突起物を円錐台としたもの、図７は突起物を多角錐としたもの、図８は突起物を多角錐台としたもの、図９は突起物を半球体としたものである。
【００１７】図６から図９においては、突起物が円錐台、多角錐、多角錐台、半球体のそれぞれの形になる場合も、上記図５をもって例示した円錐と同様、上から計量容器を見ることで容器に注入された液体の上面と、液体の上面が達する容器１の目盛り６と、突起物２の目盛り５を合わせた複数点の目盛りが、計量する人の姿勢や視点の位置を変える事なく視野に入り認識され易い。そして目盛り６と目盛り５の複数点に、液体の上面が達する状況から、おのずと容器の水平と分量を考慮できる。すなわち複数点を比較することで１種の基準を認識しやすい。したがって、目盛り６と目盛り５に液体の上面が達する状況を認識しつつ容器に液体を注入し、目的の目盛りに達したところで、液体の注入を止める。結果、目的の分量の液体を計量できたことになる。
【００１８】これらの実施形態によれば、上から計量容器を見ることで、計量対象物の上面が前記目盛り５と目盛り６からなる、複数点の目盛りに達する状況が１度に視野に入り認識しやすい働きで、人の姿勢や視点の位置を変えず又、容器を持ち上げる負担を人に与えることなく、１度の作業で分量を認識し計量できる効果がある。
【００１９】以上から突起物は周面の目盛りを上から認識できる物であればどのような形でもよい。
【００２０】以上の実施例では容器として上下の寸法が等しい筒型のものを使用しているが上方へ向うに従って広くなる物でも、狭くなる物でもよい。
【００２１】この発明の計量容器は、ゲル状体や粉体などは上面をならす、あるいはカップに振動を与える等、上面を平らにする作業が必要な場合があるが計量対象物の質、量、重さを問わず計量に対応できる。例えば、容器内部の突起物を緩やかな周面で内部が空洞の円錐状とすると、水の量を計量しやすく熱効率のよい炊飯器の内釜として計量容器そのものを適用できる。
【００２２】調理用途に限らず、園芸では農薬や土などの計量に、工業分野では材料等の計量に、医療では計量器材や水薬の蓋等に、あらゆる分野、あらゆる用途に、適応可能である。
【００２３】
【発明の効果】
以上説明したように、この発明によれば、計量容器の内部に、上から周面の見える突起物を新たに設置することにより、計量対象物の質、量、重さに関係なく計量容器を上から見ることで、計量する人に姿勢や計量作業上の負担を与えず容易に計量できる。
【図面の簡単な説明】
【図１】本発明の実施形態の１例を示す斜視図である。
【図２】本発明の図１に示した実施形態の正面図である。
【図３】本発明の図１に示した実施形態の平面図である。
【図４】本発明の図１に示した実施形態の縦断面図である。
【図５】本発明の図１に示した計量容器に液体を入れて計量している状態を示す斜視図である。
【図６】本発明の他の実施例を示す斜視図である。
【図７】本発明の更に他の実施例を示す斜視図である。
【図８】本発明の更に他の実施例を示す斜視図である。
【図９】本発明の更に他の実施例を示す斜視図である。
【図１０】従来の計量容器を示す正面図である。
【符号の説明】
１　容器
２　突起物
３　取っ手
４　注ぎ口
５　突起物外周面の目盛り
６　容器内周面の目盛り
７　液体の上面
１１　容器
３１　取っ手
４１　注ぎ口
６１　目盛り
【図１】
2004028946.tif 000003
【図２】
2004028946.tif 000004
【図３】
2004028946.tif 000005
【図４】
2004028946.tif 000006
【図５】
2004028946.tif 000007
【図６】
2004028946.tif 000008
【図７】
2004028946.tif 000009
【図８】
2004028946.tif 000010
【図９】
2004028946.tif 000011
【図１０】
2004028946.tif 000012